(57)【特許請求の範囲】
【請求項１】
受信した工程信号に基づいて、血液浄化治療を行うための動作又は当該血液浄化治療に関連する動作を行わせる制御手段と、
前記工程信号が液置換工程及び治療工程のとき、透析液を充填又は流通させて血液浄化治療を可能とする配管と、
を具備した血液浄化装置において、
前記制御手段は、通信システムから受信、又は装置内に設定若しくは記憶された患者の治療スケジュールに基づいて血液浄化治療の有無について判定可能とされ、当該判定の結果、血液浄化治療が行われる場合、前記工程信号が液置換工程及び治療工程のとき、血液浄化治療を行うための動作又は血液浄化治療に関連する動作を行い、当該判定の結果、血液浄化治療が行われない場合、前記工程信号が液置換工程及び治療工程のとき、前記配管に清浄水を充填させた待機状態とする、又は電力供給を遮断させた停止状態とすることを特徴とする血液浄化装置。
【請求項２】
前記待機状態のとき、所定の操作が行われることを条件として、前記配管に透析液を充填又は流通させて血液浄化治療を可能とし得ることを特徴とする請求項１記載の血液浄化装置。
【請求項３】
工程信号を送信し得るとともに、透析液を供給可能な透析液供給装置と、
該透析液供給装置から受信した工程信号が液置換工程及び治療工程のとき、前記透析液供給装置から供給された透析液を充填又は流通させて血液浄化治療を可能とする配管を有する複数の血液浄化装置と、
前記透析液供給装置から受信した工程信号に基づいて、血液浄化治療を行うための動作又は当該血液浄化治療に関連する動作を行わせる制御手段と、
を具備した血液浄化システムにおいて、
前記制御手段は、通信システムから受信、又は装置内に設定若しくは記憶された患者の治療スケジュールに基づいて血液浄化治療の有無について判定可能とされ、当該判定の結果、血液浄化治療が行われる場合、前記工程信号が液置換工程及び治療工程のとき、血液浄化治療を行うための動作又は血液浄化治療に関連する動作を行い、当該判定の結果、血液浄化治療が行われない場合、前記工程信号が液置換工程及び治療工程のとき、前記配管に清浄水を充填させた待機状態とする、又は電力供給を遮断させた停止状態とすることを特徴とする血液浄化システム。
【請求項４】
前記待機状態のとき、所定の操作が行われることを条件として、前記配管に透析液を充填又は流通させて血液浄化治療を可能とし得ることを特徴とする請求項３記載の血液浄化システム。
【発明の詳細な説明】
【技術分野】
【０００１】
本発明は、患者の血液を浄化して血液浄化治療を施すための血液浄化装置及び血液浄化システムに関するものである。
【背景技術】
【０００２】
透析治療などで用いられる血液浄化装置としての透析装置は、病院等の医療施設内に設けられた透析室に複数設置され、当該透析室内で多数の患者に対する透析治療（血液浄化治療）が施されるようになっている。また、それぞれの透析装置は、例えば特許文献１にて開示されているように、透析液供給装置から送信された工程信号を受信し、その工程信号に基づいて、血液浄化治療を行うための動作又は当該血液浄化治療に関連する動作が行われるよう構成されていた。
【先行技術文献】
【特許文献】
【０００３】
【特許文献１】特開２００４−１６４１２号公報
【発明の概要】
【発明が解決しようとする課題】
【０００４】
しかしながら、上記従来の血液浄化装置においては、工程信号に基づいて一律に動作するよう構成されていたので、血液浄化治療を行う予定がない（稼働しない）透析装置も他の透析装置と同様に動作してしまい、その配管内に透析液を充填及び流通させてしまうという不具合があった。したがって、血液浄化治療を行う予定がない（稼働しない）透析装置の配管は、終日、透析液が満たされた状態となってしまい、生菌の繁殖や炭酸カルシウムの析出の虞があるとともに、不要な透析液を使用するのでコストが嵩んでしまうという問題があった。
【０００５】
本発明は、このような事情に鑑みてなされたもので、血液浄化治療が行われる場合、工程信号に基づいて血液浄化治療を行うための動作又は当該血液浄化治療に関連する動作が可能とされるとともに、血液浄化治療が行われない場合、配管内の透析液の充填又は流通を防止することができる血液浄化装置及び血液浄化システムを提供することにある。
【課題を解決するための手段】
【０００６】
請求項１記載の発明は、受信した工程信号に基づいて、血液浄化治療を行うための動作又は当該血液浄化治療に関連する動作を行わせる制御手段と、前記工程信号が液置換工程及び治療工程のとき、透析液を充填又は流通させて血液浄化治療を可能とする配管とを具備した血液浄化装置において、前記制御手段は、通信システムから受信、又は装置内に設定若しくは記憶された患者の治療スケジュールに基づいて血液浄化治療の有無について判定可能とされ、当該判定の結果、血液浄化治療が行われる場合、前記工程信号が液置換工程及び治療工程のとき、血液浄化治療を行うための動作又は血液浄化治療に関連する動作を行い、当該判定の結果、血液浄化治療が行われない場合、前記工程信号が液置換工程及び治療工程のとき、前記配管に清浄水を充填させた待機状態とする、又は電力供給を遮断させた停止状態とすることを特徴とする。
【０００７】
請求項２記載の発明は、請求項１記載の血液浄化装置において、前記待機状態のとき、所定の操作が行われることを条件として、前記配管に透析液を充填又は流通させて血液浄化治療を可能とし得ることを特徴とする。
【０００９】
請求項３記載の発明は、工程信号を送信し得るとともに、透析液を供給可能な透析液供給装置と、該透析液供給装置から受信した工程信号が液置換工程及び治療工程のとき、前記透析液供給装置から供給された透析液を充填又は流通させて血液浄化治療を可能とする配管を有する複数の血液浄化装置と、前記透析液供給装置から受信した工程信号に基づいて、血液浄化治療を行うための動作又は当該血液浄化治療に関連する動作を行わせる制御手段とを具備した血液浄化システムにおいて、前記制御手段は、通信システムから受信、又は装置内に設定若しくは記憶された患者の治療スケジュールに基づいて血液浄化治療の有無について判定可能とされ、当該判定の結果、血液浄化治療が行われる場合、前記工程信号が液置換工程及び治療工程のとき、血液浄化治療を行うための動作又は血液浄化治療に関連する動作を行い、当該判定の結果、血液浄化治療が行われない場合、前記工程信号が液置換工程及び治療工程のとき、前記配管に清浄水を充填させた待機状態とする、又は電力供給を遮断させた停止状態とすることを特徴とする。
【００１０】
請求項４記載の発明は、請求項３記載の血液浄化システムにおいて、前記待機状態のとき、所定の操作が行われることを条件として、前記配管に透析液を充填又は流通させて血液浄化治療を可能とし得ることを特徴とする。
【発明の効果】
【００１２】
請求項１、３の発明によれば、血液浄化治療が行われない場合、工程信号が液置換工程及び治療工程のとき、配管に清浄水を充填させた待機状態とする、又は電力供給を遮断させた停止状態とするので、血液浄化治療が行われる場合、工程信号に基づいて血液浄化治療を行うための動作又は当該血液浄化治療に関連する動作が可能とされるとともに、血液浄化治療が行われない場合、配管内の透析液の充填又は流通を防止することができる。
【００１３】
特に、待機状態において配管に清浄水を充填させた状態とするものの場合、生菌の繁殖や炭酸カルシウムの析出を防止できるとともに、不要な透析液の使用を回避でき、コストを低下させることができるとともに、電力供給を遮断させた停止状態とするものの場合、電力消費量を削減することができる。
さらに、患者の治療スケジュールに基づいて血液浄化治療の有無について判定可能とされたので、より円滑且つ確実に、血液浄化治療が行われない予定を把握させることができる。
【００１４】
請求項２、４の発明によれば、待機状態のとき、所定の操作が行われることを条件として、配管に透析液を充填又は流通させて血液浄化治療を可能とし得るので、当初、血液浄化治療が行われる予定がない場合であっても、急遽、血液浄化治療を行う必要が生じた場合、配管に透析液を充填又は流通させて血液浄化治療を行わせることができる。
【図面の簡単な説明】
【００１６】
【図１】本発明の第１の実施形態に係る血液浄化装置及び透析液供給装置を示すブロック図
【図２】同血液浄化装置の装置本体を示す斜視図
【図３】同血液浄化装置を示す模式図
【図４】同血液浄化装置（血液浄化治療が行われない状態）を示す模式図
【図５】同血液浄化装置が受信する工程信号、及び使用する場合、使用しない場合の工程信号の受信に伴う動作を示すタイムチャート
【図６】同血液浄化装置において待機状態から使用する場合に切り替える際のタイムチャート
【図７】他の実施形態における血液浄化治療の有無を判定するための画面
【図８】更に他の実施形態における血液浄化治療の有無を判定するための画面
【図９】本発明の第２の実施形態に係る血液浄化装置が受信する工程信号、及び使用する場合、使用しない場合の工程信号の受信に伴う動作を示すタイムチャート
【発明を実施するための形態】
【００１７】
以下、本発明の実施形態について図面を参照しながら具体的に説明する。
第１の実施形態に係る血液浄化装置は、体外循環する患者の血液を浄化して透析治療する血液浄化システムに適用されたもので、当該血液浄化システムは、図１〜４に示すように、患者の血液を浄化して血液浄化治療を施すためのダイアライザ４等の血液浄化器（図３参照）が取り付けられる複数の血液浄化装置１と、それぞれの血液浄化装置１に接続された透析液供給装置２と、通信システムＳとを有して構成される。
【００１８】
透析液供給装置２は、清浄水（ＲＯ水）及び透析液原液を用いて所定濃度の透析液を作製し得るとともに、各血液浄化装置１に作製した透析液を供給可能なものである。また、透析液供給装置２には、配管を消毒するための次亜塩素酸を導入し得る消毒用薬液導入部と、配管内に析出した炭酸塩を溶解するための酢酸を導入し得る酸洗浄用薬液導入部とが配設されており、透析治療が行われていない時間帯に行われる洗浄消毒工程時に、必要な薬剤を任意選択的に送液可能とされている。
【００１９】
かかる透析液供給装置２は、配管Ｎを介して複数の血液浄化装置１のそれぞれと接続されており、血液浄化装置１のそれぞれに透析液（透析液供給装置２で作製された透析液）、所定の洗浄液（例えば、清浄水）及び消毒等における必要な薬液等の所定の液体を供給し得るよう構成されている。なお、透析液供給装置２には、透析液供給や洗浄又は消毒に関する制御内容の指示及び所定の表示を行わせ得るタッチパネルが配設されている。
【００２０】
さらに、透析液供給装置２には、マイコン等が配設されており、当該マイコンと各血液浄化装置１とが配線αを介して電気的に接続されているとともに、かかる配線αを介して工程信号が各血液浄化装置１に送信されるよう構成されている。工程信号は、予め設定されたプログラムに従って出力される信号から成り、図５に示すように、血液浄化装置１における装置本体８の配管（透析液導入ラインＬ１及び透析液排出ラインＬ２等）を洗浄及び消毒させる洗浄・消毒工程、血液浄化装置１の配管内の液体の流通を停止させるプリセット工程、血液浄化装置１の配管内の液体を透析液に置換させる液置換工程及び血液浄化治療を行わせる治療工程等から構成されている。
【００２１】
血液浄化装置１は、透析治療を行うための透析装置から成り、図３に示すように、動脈側血液回路３ａ及び静脈側血液回路３ｂを有する血液回路３と、動脈側血液回路３ａ及び静脈側血液回路３ｂの間に介装されて血液回路３を流れる血液を浄化するダイアライザ４（血液浄化器）と、動脈側血液回路３ａに配設されて駆動によって送液可能な血液ポンプ５と、動脈側血液回路３ａに接続された動脈側エアトラップチャンバ６と、静脈側血液回路３ｂに接続された静脈側エアトラップチャンバ７と、ダイアライザ４に透析液を導入する透析液導入ラインＬ１と、ダイアライザ４から排液を排出する透析液排出ラインＬ２と、制御手段１３とを有して構成されている。
【００２２】
なお、血液浄化装置１は、図２に示すように、透析装置本体８と、該透析装置本体８に取り付けられる血液浄化器（ダイアライザ４）と、該血液浄化器に接続される血液回路３とを有して構成されており、透析装置本体８には、血液ポンプ５の他、表示手段Ｍが取り付けられている。表示手段Ｍは、タッチパネルから成るもので、血液浄化治療に関わる所定の表示が可能とされているとともに、画面の所定部位を触れることにより所定の入力が可能とされている。
【００２３】
動脈側血液回路３ａは、その先端にコネクタｃが接続されており、当該コネクタｃを介して動脈側穿刺針ａが接続可能とされるとともに、途中にしごき型の血液ポンプ５及び動脈側エアトラップチャンバ６が配設されている。一方、静脈側血液回路３ｂは、その先端にコネクタｄが接続されており、当該コネクタｄを介して静脈側穿刺針ｂが接続可能とされるとともに、途中に静脈側エアトラップチャンバ７が接続されている。
【００２４】
そして、動脈側血液回路３ａの先端に接続された動脈側穿刺針ａ及び静脈側血液回路３ｂの先端に接続された静脈側穿刺針ｂを患者に穿刺した状態で、血液ポンプ５を駆動させると、患者の血液は、動脈側エアトラップチャンバ６で除泡（気泡の除去）がなされつつ動脈側血液回路３ａを通ってダイアライザ４に至り、該ダイアライザ４によって血液浄化が施された後、静脈側エアトラップチャンバ７で除泡（気泡の除去）がなされつつ静脈側血液回路３ｂを通って患者の体内に戻るようになっている。これにより、患者の血液を血液回路３の動脈側血液回路３ａの先端から静脈側血液回路３ｂの先端まで体外循環させつつダイアライザ４にて浄化し得るのである。
【００２５】
静脈側エアトラップチャンバ７には、当該静脈側血液回路３ｂ内の液圧に基づいて静脈圧を検出可能な静脈圧センサＰが接続されており、かかる静脈圧センサＰにて体外循環する血液の液圧（静脈圧）を検出し得るよう構成されている。これにより、血液回路３にて体外循環する血液の静脈圧を監視し、治療中における患者の容態変化を把握し得るようになっている。
【００２６】
ダイアライザ４は、その筐体部に、血液導入口４ａ（血液導入ポート）、血液導出口４ｂ（血液導出ポート）、透析液導入口４ｃ（透析液流路入口：透析液導入ポート）及び透析液導出口４ｄ（透析液流路出口：透析液導出ポート）が形成されており、このうち血液導入口４ａには動脈側血液回路３ａが、血液導出口４ｂには静脈側血液回路３ｂがそれぞれ接続されている。また、透析液導入口４ｃ及び透析液導出口４ｄは、透析液導入ラインＬ１及び透析液排出ラインＬ２とそれぞれ接続されている。
【００２７】
ダイアライザ４内には、複数の中空糸膜（不図示）が収容されており、この中空糸が血液を浄化するための血液浄化膜を構成している。かかるダイアライザ４内には、血液浄化膜を介して患者の血液が流れる血液流路（血液導入口４ａと血液導出口４ｂとの間の流路）及び透析液が流れる透析液流路（透析液導入口４ｃと透析液導出口４ｄとの間の流路）が形成されている。そして、血液浄化膜を構成する中空糸膜には、その外周面と内周面とを貫通した微小な孔（ポア）が多数形成されて中空糸膜を形成しており、該膜を介して血液中の不純物等が透析液内に透過し得るよう構成されている。
【００２８】
さらに、本実施形態に係る動脈側血液回路３ａの先端部（コネクタｃ近傍）及び静脈側血液回路３ｂの先端部（コネクタｄ近傍）には、血液浄化治療中、動脈側血液回路３ａ又は静脈側血液回路３ｂを流れる血液中の気体（気泡）を検出し得る気泡検出器（Ｂ１、Ｂ２）が接続されている。また、動脈側血液回路３ａの先端部（コネクタｃ近傍）及び静脈側血液回路３ｂの先端部（コネクタｄ近傍）には、開閉によって流路を閉塞又は開放可能なクランプ手段Ｖａ、Ｖｂが取り付けられている。
【００２９】
一方、透析液導入ラインＬ１及び透析液排出ラインＬ２には、所定濃度に調製された透析液をダイアライザ４に送液しつつ、当該ダイアライザ４から透析液と共に老廃物等（排液）を排出させる複式ポンプ９が接続されている。すなわち、透析液導入ラインＬ１及び透析液排出ラインＬ２に跨って複式ポンプ９が配設されており、かかる複式ポンプ９を駆動させることにより、ダイアライザ４に対して透析液導入ラインＬ１にて透析液を導入及び透析液排出ラインＬ２にて透析液（排液）を排出させ得るよう構成されているのである。
【００３０】
また、透析液導入ラインＬ１には、電磁弁Ｖ１、Ｖ３、Ｖ８及び濾過フィルタＦ１、Ｆ２が接続されており、ダイアライザ４に導入する透析液を濾過フィルタＦ１、Ｆ２にて濾過し得るとともに、電磁弁Ｖ１、Ｖ３、Ｖ８にて任意タイミングで流路を遮断又は開放可能とされている。なお、透析液導入ラインＬ１は、バイパスラインＬ４、Ｌ５にて透析液排出ラインＬ２と接続されており、これらバイパスラインＬ４、Ｌ５には、電磁弁Ｖ４、Ｖ５がそれぞれ接続されている。
【００３１】
さらに、透析液排出ラインＬ２には、複式ポンプ９を迂回する迂回ラインＬ３、Ｌ６が接続されており、迂回ラインＬ６には電磁弁Ｖ６が接続されるとともに、迂回ラインＬ３には除水ポンプ１０が接続されている。これにより、血液回路３にて患者の血液を体外循環させる過程で除水ポンプ１０を駆動させることにより、ダイアライザ４を流れる血液から水分を取り除いて除水し得るようになっている。
【００３２】
また、透析液排出ラインＬ２における複式ポンプ９より上流側（図３中右側）には、当該複式ポンプ９における透析液排出ラインＬ２の液圧調整を行う加圧ポンプ１１が接続されており、当該加圧ポンプ１１と複式ポンプ９との間からは、脱ガスチャンバ１２を介して迂回ラインＬ７が延設されている。透析液排出ラインＬ２及びそこから分岐する迂回ラインＬ７には、電磁弁Ｖ２、Ｖ７がそれぞれ接続されており、任意タイミングで透析液の流路を遮断又は開放可能とされている。
【００３３】
上記した装置本体８内の透析液導入ラインＬ１や透析液排出ラインＬ２等は、工程信号が液置換工程及び治療工程のとき、透析液を充填又は流通させて血液浄化治療を可能とする配管を構成するものである。すなわち、血液浄化装置１は、液置換工程の工程信号を受信すると、装置本体８の配管内を透析液に置換して充填させるとともに、治療工程の工程信号を受信すると、装置本体８の配管内で透析液を流通させてダイアライザ２による血液浄化治療を可能とするのである。
【００３４】
また、血液浄化治療（透析治療）が行われていない時間帯であって、ダイアライザ４が血液浄化装置１に取り付けられない状態においては、図４に示すように、カプラＣによって透析液導入ラインＬ１の先端と透析液排出ラインＬ２の先端とが接続されたバイパス状態とすることができる。このカプラＣは、透析液導入ラインＬ１の先端及び透析液排出ラインＬ２の先端を接続可能な接続具から成り、透析液導入ラインＬ１を流通する液体がカプラＣを介して透析液排出ラインＬ２に流通するのを許容している。
【００３５】
通信システムＳは、患者の治療スケジュールを記憶可能な記憶手段（例えばメモリ等）を具備したコンピュータ等から成るものである。この通信システムＳにて記憶される治療スケジュールは、血液浄化装置１毎の血液透析治療（血液浄化治療）の有無又は頻度、治療開始時刻及び終了時刻、治療時間等、当該血液浄化装置１の稼動状況に関わる情報から成る。
【００３６】
より具体的には、通信システムＳは、血液浄化治療に際しての予約内容や予約の変更内容（治療開始時刻及び終了時刻）、その患者に必要な治療時間等を操作者が入力及び記憶可能とされた予約管理システムを兼用するもので、その記憶された情報に基づいて所定の日の患者の治療スケジュールを設定可能とされたものである。かかる通信システムＳは、ＬＡＮ（ローカルエリアネットワーク：構内通信網）の配線βを介して各血液浄化装置１と接続されており、記憶された患者の治療スケジュール等の情報を各血液浄化装置１に送信可能とされている。そして、通信システムＳから治療スケジュール等の情報を受信したそれぞれの血液浄化装置１は、その治療スケジュールに基づいて稼動することにより、血液浄化治療がスムーズに行われるようになっている。
【００３７】
制御手段１３は、血液浄化装置１が具備する種々アクチュエータやセンサ等と電気的に接続されたマイコンから成るもので、透析液供給装置から受信した工程信号に基づいて、血液浄化治療を行うための動作（液置換工程及び治療工程）又は当該血液浄化治療に関連する動作（洗浄・消毒工程、プリセット工程等）を行わせるものである。また、制御手段１３は、治療工程の工程信号を受信すると、図５に示すように、初期段階でダイアライザ４を取り付ける等の治療準備のための準備工程が行われるとともに、終了段階で血液浄化装置１における装置本体８の配管内の透析液を排出する排出工程が行われるよう構成されている。
【００３８】
ここで、本実施形態に係る制御手段１３は、その制御手段１３が配設された血液浄化装置１において血液浄化治療が行われない場合（使用しない場合）、工程信号が液置換工程及び治療工程のとき、図５に示すように、血液浄化装置１における装置本体８の配管に清浄水（ＲＯ水）を充填させた待機状態とするよう構成されている。すなわち、液置換工程の直前において洗浄・消毒工程が行われ、装置本体８の配管内が洗浄水としての清浄水で充填されていることから、血液浄化治療が行われない場合、複式ポンプ９を停止させることにより、配管内に清浄水を充填した状態が保持されて待機状態となるのである。
【００３９】
しかるに、血液浄化治療が行われない場合、図４に示すように、複式ポンプ９を停止させつつ電磁弁Ｖ８を閉状態とすることにより、配管内に清浄水を充填した状態が保持されて待機状態となるものとしてもよい。この場合、電磁弁Ｖ８を閉状態として透析液供給装置２からの透析液が装置本体８の配管内に流れてしまうのを確実に防止できるので、待機状態における当該配管内の清浄水の充填状態を確実に保持することができる。
【００４０】
また、本実施形態に係る血液浄化装置１は、通信システムＳから受信した患者の治療スケジュールに基づいて血液浄化治療の有無について判定可能とされている。例えば、通信システムＳから受信した患者のスケジュールの日付に基づいて次の治療日（次回に使用される稼働日）を認識し、血液浄化治療が行われない日の場合、工程信号が液置換工程及び治療工程のとき、装置本体８の配管に清浄水を充填させた待機状態とする。
【００４１】
しかるに、血液浄化治療の有無についての判定は、上記実施形態に限定されず、図７に示すように、装置内に設定された患者のスケジュール（本実施形態においては各曜日の午前、午後及び夜間）に基づいて治療当日の曜日に治療予定の患者がいない場合、血液浄化治療が行われないと判定するようにしてもよい。さらに、図８に示すように、各血液浄化装置１において曜日毎の装置の使用の有無を設定・記憶させておき、当日に治療予定の患者がいない場合、血液浄化治療が行われないと判定するようにしてもよい。
【００４２】
一方、本実施形態に係る血液浄化装置１は、図６に示すように、待機状態のとき、例えば表示手段Ｍで表示された所定の操作ボタンを触れる等、所定の操作が行われることを条件として、装置本体８の配管に透析液を充填又は流通させて血液浄化治療を可能とし得るようになっている。すなわち、血液浄化治療が行われないと判定された血液浄化装置１において、液置換工程及び治療工程の工程信号を受信すると、既述のように、配管に清浄水を充填させた待機状態とされるのであるが、他の血液浄化装置１が故障等した場合、急遽使用したい場合があるので、所定の操作を行うことにより、装置本体８の配管に透析液を充填して液置換工程を行うとともに、当該配管に透析液を流通させて治療工程を行わせることができるのである。
【００４３】
上記実施形態によれば、血液浄化治療が行われない場合、工程信号が液置換工程及び治療工程のとき、配管に清浄水を充填させた待機状態とするので、工血液浄化治療が行われる場合、工程信号に基づいて血液浄化治療を行うための動作又は当該血液浄化治療に関連する動作が可能とされるとともに、血液浄化治療が行われない場合、配管内の透析液の充填又は流通を防止することができる。特に、待機状態において配管に清浄水を充填させた状態とされているので、生菌の繁殖や炭酸カルシウムの析出を防止できるとともに、不要な透析液の使用を回避でき、コストを低下させることができる。
【００４４】
また、待機状態のとき、所定の操作が行われることを条件として、配管に透析液を充填又は流通させて血液浄化治療を可能とし得るので、当初、血液浄化治療が行われる予定がない場合であっても、急遽、血液浄化治療を行う必要が生じた場合、配管に透析液を充填又は流通させて血液浄化治療を行わせることができる。さらに、患者の治療スケジュールに基づいて血液浄化治療の有無について判定可能とされたので、より円滑且つ確実に、血液浄化治療が行われない予定を把握させることができる。
【００４５】
次に、本発明に係る第２の実施形態について説明する。
本実施形態に係る血液浄化装置は、第１の実施形態と同様、体外循環する患者の血液を浄化して透析治療する血液浄化システムに適用されたもので、当該血液浄化システムは、図１〜４に示すように、患者の血液を浄化して血液浄化治療を施すためのダイアライザ４等の血液浄化器（図３参照）が取り付けられる複数の血液浄化装置１と、それぞれの血液浄化装置１に接続された透析液供給装置２と、通信システムＳとを有して構成される。
【００４６】
ここで、本実施形態に係る制御手段１３は、その制御手段１３が配設された血液浄化装置１において血液浄化治療が行われない場合（使用しない場合）、工程信号が液置換工程及び治療工程のとき、図９に示すように、電力供給を遮断させた停止状態とするよう構成されている。また、電力供給を遮断させた停止状態においては、複式ポンプ９が停止することから、第１の実施形態と同様、工程信号が液置換工程及び治療工程のとき、血液浄化装置１における装置本体８の配管に清浄水（ＲＯ水）を充填させた状態となる。
【００４７】
本実施形態によれば、血液浄化治療が行われない場合、工程信号が液置換工程及び治療工程のとき、電力供給を遮断させた停止状態とするので、血液浄化治療が行われる場合、工程信号に基づいて血液浄化治療を行うための動作又は当該血液浄化治療に関連する動作が可能とされるとともに、血液浄化治療が行われない場合、配管内の透析液の充填又は流通を防止することができる。特に、血液浄化治療が行われない場合、工程信号が液置換工程及び治療工程のとき、電力供給を遮断させた停止状態とするので、電力消費量を削減することができる。
【００４８】
以上、本実施形態について説明したが、本発明はこれらに限定されるものではなく、例えば通信システムＳを具備しない血液浄化システムに適用してもよく、この場合、血液浄化治療の有無について各血液浄化装置１にて判定させる（例えば、事前に表示手段Ｍの所定部位に表示した操作ボタンを触れて入力することにより、その血液浄化装置１の使用の有無を判定させる等）こととなる。
【００４９】
また、ＬＡＮの配線βを介さず各血液浄化装置１と通信システムＳとを接続するもの（例えば双方向の通信が不可能なもの、或いは無線にて通信が可能なもの）であってもよい。なお、本実施形態においては、血液透析（ＨＤ）、ＥＣＵＭ又はＨＤＦ（血液透析濾過）の如き治療形態が可能とされた血液透析装置に適用しているが、これに代えて他の血液浄化治療（例えば、血液濾過（ＨＦ）又は持続緩徐式血液濾過（ＣＨＦ）等の治療）を施すことが可能な血液浄化装置に適用してもよい。
【産業上の利用可能性】
【００５０】
制御手段は、通信システムから受信、又は装置内に設定若しくは記憶された患者の治療スケジュールに基づいて血液浄化治療の有無について判定可能とされ、当該判定の結果、血液浄化治療が行われる場合、工程信号が液置換工程及び治療工程のとき、血液浄化治療を行うための動作又は血液浄化治療に関連する動作を行い、当該判定の結果、血液浄化治療が行われない場合、工程信号が液置換工程及び治療工程のとき、配管に清浄水を充填させた待機状態とする、又は電力供給を遮断させた停止状態とする血液浄化装置及び血液浄化システムであれば、外観形状が異なるもの或いは他の機能が付加されたもの等にも適用することができる。
【符号の説明】
【００５１】
１    血液浄化装置
２    透析液供給装置
３    血液回路
４    ダイアライザ（血液浄化器）
５    血液ポンプ
６    動脈側エアトラップチャンバ
７    静脈側エアトラップチャンバ
８    装置本体
９    複式ポンプ
１０  除水ポンプ
１１  加圧ポンプ
１２  脱ガスチャンバ
１３  制御手段
Ｓ    通信システム
【図１】
0006570895.tif 000002
【図２】
0006570895.tif 000003
【図３】
0006570895.tif 000004
【図４】
0006570895.tif 000005
【図５】
0006570895.tif 000006
【図６】
0006570895.tif 000007
【図７】
0006570895.tif 000008
【図８】
0006570895.tif 000009
【図９】
0006570895.tif 000010